(57)【要約】  例示の実施態様は、印刷媒体処理に関する。例えば、非一時的コンピュータ可読媒体が、印刷媒体の属性を求め、この印刷媒体の属性に基づいて印刷処理パラメータを調整する、処理リソースによって実行可能な命令を記憶することができる。この非一時的コンピュータ可読媒体は、ページ処理機構を用いて、印刷処理パラメータに基づいて印刷媒体を処理する、処理リソースによって実行可能な命令を更に記憶することができる。【選択図】図３
2019534172.tif 000002
【特許請求の範囲】
【請求項１】
処理リソースによって実行可能な命令を記憶する非一時的コンピュータ可読媒体であって、
印刷媒体の属性を求める命令と、
前記印刷媒体の前記属性に基づいて印刷処理パラメータを求める命令と、
ページ処理機構を用いて、前記印刷処理パラメータに基づいて前記印刷媒体を処理する命令と、
を記憶する、非一時的コンピュータ可読媒体。
【請求項２】
前記印刷処理パラメータを調整する前記命令は、前記ページ処理機構に関連したファン速度設定又は温度設定を調整する、前記処理リソースによって実行可能な命令を含む、請求項１に記載の非一時的コンピュータ可読媒体。
【請求項３】
前記命令は、
前記ページ処理機構を用いて処理される第２の印刷媒体に関連したリスクレベルを求めることと、
前記リスクレベルに基づいて、前記印刷処理パラメータを調整することと、
前記ページ処理機構を用いて、前記調整された印刷処理パラメータに基づいて前記第２の印刷媒体を処理することと、
を行うように更に実行可能である、請求項１に記載の非一時的コンピュータ可読媒体。
【請求項４】
前記ページ処理機構を用いて前記印刷媒体を処理する前記命令は、ファン又は熱源を用いて前記印刷媒体を乾燥する、前記処理リソースによって実行可能な命令を含む、請求項１に記載の非一時的コンピュータ可読媒体。
【請求項５】
前記印刷媒体の前記属性を求める前記命令は、前記印刷媒体に関連したリスクレベルを求める、前記処理リソースによって実行可能な命令を含む、請求項１に記載の非一時的コンピュータ可読媒体。
【請求項６】
前記リスクレベルは、前記印刷媒体の所望の出力品質に少なくとも部分的に基づいている、請求項５に記載の非一時的コンピュータ可読媒体。
【請求項７】
前記印刷処理パラメータを調整する前記命令は、前記印刷媒体の処理と、該印刷媒体に続いて印刷された第２の印刷媒体の処理との間の時間量を調整する、前記処理リソースによって実行可能な命令を含む、請求項１に記載の非一時的コンピュータ可読媒体。
【請求項８】
ページ処理機構と、
前記ページ処理機構に結合されたコントローラであって、
印刷媒体の属性を求めることと、
前記印刷媒体の前記属性に基づいて印刷処理パラメータを調整することと、
前記ページ処理機構によって、前記印刷処理パラメータに基づいて前記印刷媒体を処理させることと、
を行うコントローラと、
を備える、システム。
【請求項９】
前記ページ処理機構及び前記コントローラに結合された印刷デバイスを更に備え、前記コントローラは、前記ページ処理機構を用いて前記印刷媒体を処理する前に、該印刷デバイスにデータを前記印刷媒体上に印刷させる、請求項８に記載のシステム。
【請求項１０】
前記コントローラは、
後続の印刷媒体の第２の属性を求めることと、
前記第２の属性に基づいて前記印刷処理パラメータを調整することと、
前記ページ処理機構によって、前記第２の属性に基づく前記印刷処理パラメータに基づいて前記後続の印刷媒体を処理させることと、
を行う、請求項８に記載のシステム。
【請求項１１】
前記印刷処理機構は、加熱器又はファンを含む、請求項８に記載のシステム。
【請求項１２】
前記コントローラは、
前記ページ処理機構によって、第１の時間量の間、前記印刷媒体を処理させることと、
前記ページ処理機構を用いて、第２の時間量の間、後続の印刷媒体を処理させることと、
を行う、請求項８に記載のシステム。
【請求項１３】
前記属性は、前記印刷媒体の水分量を含む、請求項８に記載のシステム。
【請求項１４】
第１の印刷媒体の第１の属性を求めることと、
前記第１の属性に基づいて第１の印刷処理パラメータを調整することと、
ページ処理機構を用いて、前記第１の印刷処理パラメータに少なくとも部分的に基づいて前記第１の印刷媒体を処理することと、
第２の印刷媒体の第２の属性を求めることと、
前記第２の属性に基づいて第２の印刷処理パラメータを調整することと、
前記ページ処理機構を用いて、前記第２の印刷処理パラメータに少なくとも部分的に基づいて前記第２の印刷媒体を処理することと、
を含む、方法。
【請求項１５】
前記第１の印刷媒体が処理される第１の速度を調整することと、
前記第２の印刷媒体が処理される第２の速度を調整することと、
を更に含み、
前記第１の速度及び前記第２の速度は、前記第１の属性及び前記第２の属性を求めることに少なくとも部分的に基づいている、請求項１４に記載の方法。
【発明の詳細な説明】
【背景技術】
【０００１】
印刷媒体は、例えば、その水分（moisture：湿気）を取り除くように処理することができる。異なる量の水分を含む印刷媒体を処理することは、異なるエネルギー量及び／又は異なる時間量を消費する可能性があり、これは、印刷デバイスのスループットを変化させる可能性がある。
【図面の簡単な説明】
【０００２】
【図１】本開示に沿った印刷媒体処理のシステムの一例の図である。
【図２】本開示に沿った、コントローラと印刷デバイスとを備える印刷媒体処理のシステムの一例の図である。
【図３】本開示に沿った、ホストと、コントローラと、印刷デバイスとを備える印刷媒体処理のシステムの一例の図である。
【図４】本開示に沿った印刷媒体処理の一例示の方法のフロー図である。
【図５】本開示に沿った印刷媒体処理の非一時的コンピュータ可読媒体及び処理リソースの一例の図である。
【発明を実施するための形態】
【０００３】
印刷デバイスは、入力データを用紙等の印刷媒体上に印刷することができる。例えば、ＣＭＹＫ印刷デバイスは、様々な量及び／又は濃度のシアン（Ｃ）インク、マゼンタ（Ｍ）インク、イエロー（Ｙ）インク、及び／又は黒（Ｋ）インクを用いて入力データを印刷することができる。様々な量及び／又は濃度のこれらの種々のインクは、印刷媒体の種々の領域内に配置することもできるし、種々の領域にわたって分散させることもできるし、及び／又は種々の領域にわたって散布することもできる。これらのインクのそれぞれは、異なる化学組成及び／又は水分含量を有する場合があるので、これらのインクは、異なる乾燥特性を示す場合がある。本明細書に用いられるような「水分含量」は、特定のインクに関連した分散媒の量等の流体含有量である。幾つかの例では、種々のインクの化学組成及び／又は流体構成に基づいて、特定の色のインクは、異なる色のインクよりもゆっくりと乾燥する場合もあるし、速く乾燥する場合もある。加えて、印刷媒体の特定の領域においてより高濃度に濃縮されたインクは、印刷媒体の特定の領域においてそれよりも低い濃度で濃縮されたインクと異なる速度で乾燥する場合がある。上記ではＣＭＹＫプリンタに関して説明したが、本明細書において説明するシステム、方法、及びコンピュータ可読媒体は、モノクロプリンタ等の他のタイプのプリンタとともに動作可能とすることができる。
【０００４】
印刷媒体は、その水分を取り除くように処理することができる。例えば、印刷媒体は、印刷プロセスの一部として印刷媒体に加えられたインクに関連した水分を取り除くように処理することができる。印刷媒体を処理することは、印刷媒体を加熱すること、気流を印刷媒体と接触させること（例えば、ファンを印刷媒体に適用すること）、単数若しくは複数の特定の周波数の電磁放射を印刷媒体に照射すること、及び／又は印刷媒体を蒸発によって冷却すること、並びに印刷媒体から水分を取り除くことを可能にすることができる他の技法を伴うことができる。本明細書に用いられるような「印刷媒体」は、印刷デバイスがデータを印刷することができる媒体であり、とりわけ、例えば、用紙、トランスペアレンシ、及び新聞印刷用紙である。
【０００５】
印刷媒体の処理は、印刷ジョブが、印刷媒体に関連した水分に応じて異なるエネルギー量を消費することができるように、時間量を変更することができる。例えば、印刷媒体の表面にわたって分散及び／又は散布された変動する水分量を有する印刷媒体の場合、印刷媒体の幾つかの部分は、同じページの他の部分と異なって処理することができる。これによって、印刷媒体の他の領域よりも多くの水分を含む印刷媒体の領域、及び／又は、水分濃度が印刷媒体の他の領域よりも高い印刷媒体の領域に、ページ歪み、例えば、うねり、しわ、及び／又はカールが引き起こされる可能性がある。本明細書に用いられるような「しわ」は、高い水分含量を有する印刷媒体の領域に印刷媒体のひだをもたらす可能性がある局在するページ歪みを指す一方、「カール」は、過剰な熱及び／又は水分が印刷媒体に加えられたことに起因する印刷媒体の湾曲を指す。印刷媒体にわたって分散し得る異なる水分量及び／又は水分濃度に起因して、印刷媒体を、異なる方法で、異なるエネルギー消費レートにおいて、及び／又は異なる時間量の間、処理することができる。これらの全ては、印刷媒体が乾燥して使用可能な状態になる前の時間量を変更し得る。
【０００６】
幾つかの手法において、印刷デバイスは、例えば、インクが印刷媒体に付着するように、印刷媒体上のインクの流体内容物を蒸発させることによって処理するために用いることができる１つ以上のページ処理機構を備える。印刷デバイスは、印刷媒体を処理するのに用いることができる１つ以上のページ処理機構を備えることができる。ページ処理機構の例としては、加熱器及び／又はファン等の乾燥機構がある。幾つかの手法では、印刷媒体は、固定した温度、エネルギー消費、波長、及び／又はファン速度で動作することができるページ処理機構（複数の場合もある）を用いて処理することができる。固定した温度、エネルギー消費、波長、及び／又はファン速度で動作するページ処理機構を用いて印刷媒体を処理することによって、印刷媒体は、特に、異なる水分量を含む印刷媒体の領域では、しわ及び／又はカールを被る場合がある。本明細書に用いられるような「ページ処理機構」は、印刷媒体を処理して、例えば、印刷媒体から水分を取り除き、それによって、印刷媒体に付着されたインクを乾燥させるように構成された機構である。ページ処理機構の非限定的な例としては、１つ以上の加熱器、ファン、フィルムヒータ、赤外線加熱器等がある。
【０００７】
幾つかの手法では、固定した温度、エネルギー消費、波長、及び／又はファン速度で印刷媒体を処理すると、その結果、不要なエネルギー消費がもたらされる場合がある。なぜならば、異なるインクは、それらの化学組成、流体構成、及び／又は印刷媒体上のそれらの濃度、ロケーション、及び／又は分散度に基づいて異なる乾燥特性を示す場合があるからである。加えて又は代替的に、幾つかの手法では、印刷媒体を処理することによって、印刷デバイスが印刷媒体の印刷及び処理を完了することができる速度が変更される可能性がある。例えば、印刷媒体を処理することによって、印刷デバイスが印刷媒体の印刷及び処理を完了することができる国際標準化機構（ＩＳＯ）速度が変更される可能性がある。
【０００８】
これとは対照的に、本明細書における例は、印刷媒体からの水分の除去に伴うエネルギー消費を削減することができるページ処理機構の動的調整を可能にすることができる。幾つかの例では、エネルギー消費は、削減されたエネルギー消費状態において印刷処理機構を動作させることによって削減することもできるし、印刷処理機構が印刷媒体から水分を取り除くために用いられていないときは、印刷処理機構の電源を切断することによって削減することもできる。例えば、印刷処理機構の最大設定は、印刷媒体が、機械的信頼性及び／又は出力品質に関して、異なる印刷媒体と比較してより高いリスクレベルを有するとの判断がなされたときに用いることができる。幾つかの例では、ページ処理機構の設定を動的に調整することによって、印刷媒体を過乾燥させることなく印刷媒体からの水分の除去を可能にすることができ、これによって、印刷媒体のしわ及び／又はカールを削減することができる。本明細書に用いられるような「リスクレベル」は、印刷媒体の水分含量が印刷媒体の幾つかの特定の部分においてどの程度の濃度にあるのかを示すものである。本明細書に用いられるような「高濃度の水分含量」は、印刷媒体の幾つかの特定の部分における水分含量が、印刷媒体の他の部分における水分含量よりもかなり多いことを指す。
【０００９】
幾つかの例では、印刷媒体のリスクレベルに基づいて、印刷処理パラメータを印刷媒体に割り当てることができる。例えば、印刷処理パラメータは、印刷媒体上の水分量、ページの１つ以上の部分における水分濃度、印刷媒体の所望の出力品質、印刷デバイス及び／又は印刷処理機構（複数の場合もある）に関連した機械的信頼性等に基づいて印刷媒体に割り当てることができる。印刷処理パラメータは、印刷媒体が印刷及び／又は処理される速度、及び／又は、印刷処理機構（複数の場合もある）の設定を求めるのに用いることができる。
【００１０】
本開示の例は、印刷媒体処理の方法と、印刷媒体処理のシステムと、印刷媒体処理の実行可能命令を記憶するコンピュータ可読媒体とを含む。例えば、方法と、システムと、コンピュータネットワーク内の印刷デバイスによって印刷媒体処理を可能にすることができる実行可能命令を記憶するコンピュータ可読媒体とが本明細書において説明される。幾つかの例では、非一時的コンピュータ可読媒体が、印刷媒体の少なくとも１つの属性を求め、印刷媒体のこの少なくとも１つの属性に基づいて印刷処理パラメータを調整する、処理リソースによって実行可能な命令を記憶することができる。この媒体は、ページ処理機構を用いて、印刷処理パラメータに基づいて印刷媒体を処理する、処理リソースによって実行可能な命令を更に記憶することができる。本明細書に用いられるような印刷媒体の「属性」は、印刷媒体の品質又は特徴である。印刷媒体の属性の例としては、印刷媒体の感触若しくはテクスチャ、印刷媒体に加えられた水分量、印刷媒体の平坦度、及び／又は印刷媒体の所望の出力スタック品質（output stack quality）、並びに印刷媒体の他の品質及び／又は特徴がある。
【００１１】
次に図を参照する。図１は、本開示に沿った印刷媒体処理のシステム１００の一例の図を示している。システム１００は、コントローラ１１０と、１つ以上のページ処理機構１１２−１、．．．、１１２−Ｎとを備える。これらのページ処理機構は、本明細書において「ページ処理機構（複数の場合もある）１１２」と総称される場合がある。幾つかの例では、コントローラ１１０は、特定用途向け集積回路（ＡＳＩＣ）の形態のハードウェア及び／又は命令（例えば、マイクロコード命令）を備えることができる。コントローラ１１０は、コントローラ１１０に関連付けられた処理リソースに記憶された命令を実行することができ、及び／又は、コントローラ１１０に結合されたメモリに記憶された命令を実行することができる。例えば、コントローラ１１０は、命令を実行して、印刷媒体１１４の少なくとも１つの属性を求め、印刷媒体１１４のこの少なくとも１つの属性に基づいて印刷処理パラメータを調整し、及び／又はページ処理機構（複数の場合もある）１１２を用いて、印刷処理パラメータに基づいて印刷媒体１１４の処理を行わせることができる。
【００１２】
本明細書に用いられるような「印刷処理パラメータ」は、印刷処理機構の設定を求めるのに用いることができるパラメータである。印刷処理パラメータの非限定的な例としては、印刷媒体の処理中に用いられる熱量（例えば、熱が印刷媒体に印加される温度、強度、及び／又は持続時間）、印刷媒体の処理中に印刷媒体と接触させる空気量（例えば、空気流が印刷媒体に印加される空気流速及び／又は持続時間）、印刷媒体に印加される電磁放射量（例えば、電磁放射の印加の強度、波長、周波数、及び／又は持続時間）、及び／又は印刷媒体を蒸発によって冷却する時間量、並びに印刷媒体から水分を取り除くことを可能にするために変更することができる他のパラメータがある。
【００１３】
システム１００は、様々な印刷デバイスとともに動作することができる。例えば、システム１００は、新聞、企業給与支払名簿（enterprise payrolls）、雑誌等の大量の情報を印刷するように動作可能な高速生産印刷デバイスの一部として動作することができる。高速生産印刷デバイスでは、印刷媒体１１４は、連続形態の印刷媒体とすることができる。ただし、具体例はそのように限定されるものではなく、システム１００は、テキスト文書、電子メール、写真等の少量の情報を印刷するように動作可能な小型印刷システム（例えば、家庭用印刷デバイス）の一部として動作することができる。小型印刷デバイスでは、印刷媒体１１４は、例えば、個々のページ（例えば、写真複写機用紙、再生紙等）、又は写真用紙とすることができる。
【００１４】
図２は、本開示に沿った、コントローラ２１０と印刷デバイス２０４とを備える印刷媒体処理のシステム２００の一例の図を示している。システム２００は、印刷デバイス２０４と、コントローラ２１０と、１つ以上のページ処理機構２１２とを備える。図２に示すように、ページ処理機構（複数の場合もある）２１２は、印刷媒体２１４を処理するように構成することができる。幾つかの例では、印刷デバイス２０４は、ページ処理機構（複数の場合もある）２１２及び／又はコントローラ２１０に結合することができ、ページ処理機構（複数の場合もある）２１２を用いて印刷媒体２１４を処理する前に印刷媒体２１４上にデータを印刷することができる。
【００１５】
システム２００は、コントローラ２１０から受信された命令に応答して、ページ処理機構（複数の場合もある）２１２を用いて印刷媒体２１４を処理するように動作可能とすることができる。幾つかの例では、印刷媒体２１２は、印刷デバイス２０４が入力データを印刷媒体２１４上に印刷した結果として水分を含む場合がある。印刷デバイス２０４が水分を印刷媒体２１４に加えた結果、印刷媒体２１４は、印刷媒体２１４の異なる領域において異なる水分濃度を有する場合がある。
【００１６】
幾つかの例では、コントローラ２１０は、異なる水分濃度を有する印刷媒体２１４の領域を特定し、印刷媒体２１４の１つ以上の異なる領域における水分濃度に基づいて印刷処理パラメータを調整することができる。言い換えると、幾つかの例では、コントローラ２１０は、印刷媒体２１４の１つ以上の属性に基づいて印刷処理パラメータを調整することができる。
【００１７】
幾つかの例では、コントローラ２１０は、１つ以上のページ処理機構２１２を用いて、印刷処理パラメータに基づいて印刷媒体２１４を処理させることができる。例えば、コントローラ２１０は、印刷媒体２１４の属性に基づいて、ページ処理機構（複数の場合もある）２１２に、異なる熱量を印刷媒体２１４に提供させることができ、及び／又は、異なる時間量の間、熱を印刷媒体２１４に提供させることができる。幾つかの例では、コントローラ２１０は、印刷媒体２１４の属性に基づいて、処理機構（複数の場合もある）２１２に、異なる量の空気流を印刷媒体２１４に提供させることができ、及び／又は、異なる時間量の間、空気流を印刷媒体２１４に提供させることができる。
【００１８】
図３は、本開示に沿った、ホスト３０２と、コントローラ３１０と、印刷デバイス３０４とを備える印刷媒体処理のシステム３００の一例の図を示している。図３に示すように、システム３００は、ページ処理機構３１２を備えることができる。図面を不明瞭にしないように、図３には、単一のページ処理機構３１２が示されているが、理解されるように、本明細書では、図１及び図２に示すように、１つ以上のページ処理機構３１２をシステム３００に含めることができる。
【００１９】
幾つかの例では、ホスト３０２は、ホストシステムとすることができ、システムマザーボード及び／又はバックプレーンを備えることでき、或る数の処理リソース（例えば、１つ以上のプロセッサ、マイクロプロセッサ、又は他の或るタイプの制御回路機構）を備えることができる。幾つかの例では、ホスト３０２は、印刷デバイス３０４の一部とすることができる。ただし、具体例はそのように限定されるものではなく、ホスト３０２が印刷デバイス３０４及び／又はコントローラ３１０と通信する限り、ホスト３０２は、印刷デバイス３０４から分離したものとすることができる。
【００２０】
幾つかの例では、コントローラ３１０は、制御信号をページ処理機構（複数の場合もある）３１２に提供して、ページ処理機構（複数の場合もある）３１２に印刷媒体３１４を処理させることができる。制御信号は、制御コマンドを表す電気及び／又は光のパルス及び／又は周波数を含むことができる。例えば、制御信号は、単数又は複数の動作を実行するコマンドを表す或る特定の周波数又は幾つかの特定の周波数の電気信号とすることができる。印刷媒体３１４が異なる場合、及び／又は、印刷媒体３１４がページ処理機構（複数の場合もある）３１２を用いて処理されるとき、印刷媒体３１４が受ける処理量は変化し得る。幾つかの例では、コントローラ３１０は、印刷媒体３１４の属性及び／又は印刷処理パラメータに基づいて、ページ処理機構（複数の場合もある）３１２の時間処理制御及び／又は空間処理制御を提供するように動作可能とすることができる。
【００２１】
幾つかの例では、コントローラ３１０は、印刷媒体３１４（例えば、第１の印刷媒体）に続いて印刷される印刷媒体（例えば、第２の印刷媒体）の属性を求めるように動作可能とすることができる。例えば、コントローラ３１０は、第１の印刷媒体よりも後の時点において印刷される第２の印刷媒体の属性を求めるように動作可能とすることができる。ホスト３０２及び／又はコントローラ３１０は、次に、第２の印刷媒体の属性に基づいて印刷処理パラメータを調整することができる。幾つかの例では、ホスト３０２及び／又はコントローラ３１０は、ページ処理機構（複数の場合もある）３１２を用いて、第２の印刷媒体の属性に基づく印刷処理パラメータに基づいて第２の印刷媒体を処理させることができる。幾つかの例では、第２の印刷媒体の属性は、第１の印刷媒体の属性と異なることができる。
【００２２】
具体例は、図１〜図３に示す例示のシステムに限定されるものではなく、図１〜図３の構成要素は、単一のシステムに位置することもできるし、分散ネットワーク、クラウドコンピューティング、エンタープライズサービス環境（例えば、ソフトウェアアズアサービス（ＳａａＳ）環境）等における別々の異なるロケーションに存在することもできる。
【００２３】
図４は、本開示に沿った印刷媒体処理の一例示の方法のフロー図を示している。様々な例において、方法４２０は、図１〜図３に示すシステム１００、２００、及び／又は３００、及び／又は、図５に示す処理リソース５０３及び非一時的コンピュータ可読媒体５３１を用いて実行することができる。ただし、具体例は、これらの例示のシステム、デバイス、処理リソース及び／又は非一時的コンピュータ可読媒体に限定されるものではない。
【００２４】
４２１において、方法４２０は、第１の印刷媒体の第１の属性を求めることを含むことができる。例えば、方法４２０は、第１の印刷媒体の感触若しくはテクスチャ、第１の印刷媒体に加えられた水分量、第１の印刷媒体の平坦度、及び／又は第１の印刷媒体の所望の出力スタック品質、並びに第１の印刷媒体の他の品質及び／又は特徴を求めることを含むことができる。本明細書に用いられるような「所望の出力スタック品質」は、印刷デバイスによって生成されるプリントアウトの品質に関する選択可能なパラメータを指す。所望の出力スタック品質の例としては、とりわけ、プリントアウトのドットパーインチ（ＤＰＩ）、インク品質／印刷デバイスにおいて用いられるインク品質、印刷媒体のタイプがある。
【００２５】
４２２において、方法４２０は、第１の属性に基づいて第１の印刷処理パラメータを調整することを含むことができる。例えば、印刷処理機構（複数の場合もある）によって適用される時間量及び／又は処理のタイプを第１の属性に基づいて調整することができる。
【００２６】
４２３において、方法４２０は、ページ処理機構を用いて、第１の印刷処理パラメータに少なくとも部分的に基づいて第１の印刷媒体を処理することを含むことができる。幾つかの例では、第１の印刷媒体は、印刷処理パラメータに基づいて、特定の熱において、特定のファン速度において、及び／又は特定の時間量の間、処理することができる。
【００２７】
４２４において、方法４２０は、第２の印刷媒体の第２の属性を求めることを含むことができる。例えば、方法４２０は、第２の印刷媒体の感触若しくはテクスチャ、第２の印刷媒体に加えられた水分量、第２の印刷媒体の平坦度、及び／又は第２の印刷媒体の所望の出力スタック品質、並びに第２の印刷媒体の他の品質及び／又は特徴を求めることを含むことができる。
【００２８】
４２５において、方法４２０は、第２の属性に基づいて第２の印刷処理パラメータを調整することを含むことができる。例えば、印刷処理機構（複数の場合もある）によって適用される時間量及び／又は処理のタイプを第２の属性に基づいて調整することができる。
【００２９】
４２６において、方法４２０は、ページ処理機構を用いて、第２の印刷処理パラメータに少なくとも部分的に基づいて第２の印刷媒体を処理することを含むことができる。例えば、方法４２０は、印刷媒体の感触若しくはテクスチャ、印刷媒体に加えられた水分量、印刷媒体の平坦度、及び／又は印刷媒体の所望の出力スタック品質、並びに印刷媒体の他の品質及び／又は特徴を求めることを含むことができる。
【００３０】
幾つかの例において、方法４２０は、第１の印刷媒体が処理される第１の速度を調整することと、第２の印刷媒体が処理される第２の速度を調整することとを含むことができる。幾つかの例において、第１の速度及び第２の速度は、第１の属性及び第２の属性を求めることに少なくとも部分的に基づくことができる。
【００３１】
図５は、本開示に沿った、印刷されたページを処理する非一時的コンピュータ可読媒体５３１及び処理リソース５０３の一例の図５３０を示している。例えば、システム５３０は、図１〜図３の例示のシステム又は図４の例示の方法の一実施態様とすることができる。
【００３２】
処理リソース５０３は、非一時的コンピュータ可読媒体５３１上に記憶された命令を実行することができる。非一時的コンピュータ可読媒体５３１は、ランダムアクセスメモリ（ＲＡＭ）、フラッシュメモリ、読み出し専用メモリ（ＲＯＭ）、記憶ボリューム、ハードディスク、又はそれらの組み合わせ等の任意のタイプの揮発性又は不揮発性のメモリ又は記憶装置とすることができる。
【００３３】
例示の媒体５３１は、印刷媒体の属性を求める、処理リソース５０３によって実行可能な命令５３２を記憶することができる。例えば、印刷媒体の感触若しくはテクスチャ、印刷媒体に加えられた水分量、印刷媒体の平坦度、及び／又は印刷媒体の所望の出力スタック品質、並びに印刷媒体の他の品質及び／又は特徴を求める命令５３２を記憶することができる。
【００３４】
例示の媒体５３１は、命令５３４を更に記憶することができる。命令５３４は、印刷媒体の少なくとも１つの属性に基づいて印刷処理パラメータを調整するように実行可能とすることができる。例えば、命令５３４は、印刷処理機構（複数の場合もある）によって、属性に基づいて印刷媒体に適用される時間量及び／又は処理のタイプを調整するように実行可能とすることができる。
【００３５】
例示の媒体５３１は、命令５３６を更に記憶することができる。命令５３６は、ページ処理機構を用いて、印刷処理パラメータに基づいて印刷媒体を処理するように実行可能とすることができる。幾つかの例では、命令５３６は、印刷処理パラメータに基づいて、特定の熱において、特定のファン速度において、及び／又は特定の時間量の間、印刷媒体を処理するように実行可能とすることができる。
【００３６】
幾つかの例では、例示の媒体５３１は、ページ処理機構に関連したファン速度設定を調整することによって印刷処理パラメータを調整するように処理リソース５０３によって実行可能とすることができる命令を更に記憶することができる。例えば、印刷処理機構（複数の場合もある）の一部として設けられた１つ以上のファンに関連した速度設定を調整することができる。幾つかの例では、例示の媒体５３１は、ページ処理機構に関連した温度設定を調整することによって印刷処理パラメータを調整するように処理リソース５０３によって実行可能とすることができる命令を更に記憶することができる。例えば、印刷処理機構（複数の場合もある）の一部として設けられた１つ以上の加熱器に関連した温度設定を調整することができる。
【００３７】
幾つかの例では、例示の媒体５３１は、ページ処理機構を用いて処理される第２の印刷媒体に関連したリスクレベルを求め、このリスクレベルに基づいて印刷処理パラメータを調整し、ページ処理機構を用いて、調整された印刷処理パラメータに基づいて第２の印刷媒体を処理するように処理リソース５０３によって実行可能とすることができる命令を更に記憶することができる。例えば、例示の媒体５３１は、ページ処理機構が、印刷媒体に続いて印刷された第２の印刷媒体を、第１の印刷媒体が処理された印刷処理パラメータと異なる印刷処理パラメータに基づいて直ちに処理することができるように、印刷処理パラメータを事前に調整するように処理リソース５０３によって実行可能とすることができる命令を記憶することができる。
【００３８】
第２の印刷媒体が印刷及び／又は処理される前に第２の印刷媒体の印刷処理パラメータを調整することによって、短縮されたラグ又は待ち時間で異なる印刷処理パラメータに基づいて第２の印刷媒体を処理することができる。なぜならば、ページ処理機構を、この異なる印刷処理パラメータについて既にセットアップしておくことができるからである。幾つかの例では、ラグ又は待ち時間は、数秒から数分に変動する場合がある。したがって、ラグ又は待ち時間を短縮することによって、印刷デバイスのスループットを高めることができる。
【００３９】
非限定的な例として、別の印刷媒体に続く或る時点において処理される印刷媒体のリスクレベルを求めることができる。この印刷媒体のリスクレベルに基づいて、上記別の印刷媒体の後の或る時点において処理される印刷媒体が、当該別の印刷媒体と異なる印刷処理パラメータに基づいて処理されると判断することができる。この判断が行われると、ページ処理機構が上記後の時点において処理される印刷媒体の印刷処理パラメータに基づいて動作しているように、ページ処理機構に関連した設定を事前に変更することができる。例えば、後の時点において処理される印刷媒体が、別の印刷媒体よりも多い熱又は少ない熱（又は高いファン設定若しくは低いファン設定）を必要とし得ると判断することができる。幾つかの例では、ページ処理機構は、後の時点において処理される印刷媒体の印刷処理パラメータに関連した熱（又はファン）設定に向けた調整を、この後続の印刷媒体が印刷及び／又は処理される前に開始することができる。
【００４０】
これは、例えば、ページ処理機構に関連した温度が後続のページの印刷及び／又は処理の前に調整されなかった場合よりも効果的な後続の印刷媒体の処理をもたらすことができる温度に、印刷処理機構に関連した温度が接近するように、ページ処理機構が温度を徐々に上昇させる更なる時間を与えることができる。幾つかの例では、これは、異なる属性を有する印刷媒体の処理の間の待ち時間の削減を可能にすることができ、及び／又は、印刷デバイスのスループットを高めることができる。
【００４１】
幾つかの例では、例示の媒体５３１は、ファン及び／又は熱源のうちの一方を用いて印刷媒体を乾燥させることによってページ処理機構を用いて印刷媒体を処理する、処理リソースによって実行可能とすることができる命令を更に記憶することができる。例示の媒体５３１は、印刷媒体に関連したリスクレベルを求めることによって印刷媒体の属性を求める、処理リソースによって実行可能とすることができる命令を更に記憶することができる。幾つかの例では、リスクレベルは、印刷媒体の所望の出力品質に少なくとも部分的に基づくことができる。
【００４２】
幾つかの例では、例示の媒体５３１は、印刷媒体の処理と、この印刷媒体の後に印刷される第２の印刷媒体の処理との間の時間量を調整する、処理リソースによって実行可能とすることができる命令を更に記憶することができる。例えば、これらの命令は、第１の印刷媒体の処理と、第１の印刷媒体の後に印刷される第２の媒体の処理との間の時間量を調整するように実行可能とすることができる。
【００４３】
本開示の上記詳細な説明では、本開示の一部をなす添付図面への言及がなされている。添付図面には、例示として、本開示の１つ以上の例をどのように実施することができるのかが示されている。これらの例は、当業者が本開示の例を実施することができるように十分詳細に説明されており、他の例を利用することができること、並びに、本開示の範囲から逸脱することなく、プロセスの変更、電気的な変更、及び／又は構造的な変更を行うことができることが理解されよう。特に図面における参照符号に関して、本明細書に用いられるような「Ｎ」等の指示子は、そのように指定される特定の特徴部を或る数だけ含めることができることを示している。本明細書に用いられるような「或る数の（a number of）」特定のものは、そのような物を１つ以上指すことができる（例えば、或る数のコンピューティングデバイスは、１つ以上のコンピューティングデバイスを指すことができる）。「複数の（plurality of）」は、そのような物を２つ以上指すことを意図している。本明細書では、複数の同様の要素を、末尾に特定の識別子を有しないそれらの参照符号によって全体的に参照することができる。例えば、複数の印刷処理機構１１２−１、．．．、１１２−Ｎは、本明細書では、複数の印刷処理機構１１２として総称することができる。
【００４４】
本明細書における図は、番号付けの慣例に従っており、最初の桁は図面の図番に対応し、残りの桁は図面における要素又は構成要素を特定する。例えば、参照符号１１０は、図１における要素「１０」を指すことができ、類似の要素は、図２における参照符号２１０によって特定することができる。本明細書における様々な図に示す要素は、本開示の或る数の追加例を提供するために追加、交換、及び／又は削除することができる。加えて、図に提供された要素の大きさ及び相対縮尺は、本開示の例を示すことを意図したものであり、限定的な意味に解釈されるべきでない。
【００４５】
本明細書において用いられるような「ロジック」は、本明細書において説明した特定の動作及び／又は機能等を実行する代替的な又は追加の処理リソースであり、この処理リソースは、メモリに記憶されてプロセッサによって実行可能なコンピュータ実行可能命令、例えば、ソフトウェア、ファームウェア等と対照的なハードウェア、例えば、様々な形態のトランジスタロジック、特定用途向け集積回路（ＡＳＩＣ）等を含む。
【図１】
2019534172.tif 000003
【図２】
2019534172.tif 000004
【図３】
2019534172.tif 000005
【図４】
2019534172.tif 000006
【図５】
2019534172.tif 000007
【国際調査報告】
2019534172.tif 000008